(57)【要約】【課題】放電生成物の滞留を回避すると共に、除電光やその反射光による帯電電位の低下を回避する。【解決手段】プリンターの帯電装置は、シールドケース２０と、放電ワイヤと、複数の遮蔽板２３とを備える。シールドケース２０は、感光体ドラム１０に対向する対向面２０ａに設けられる第１開口２０ｂ及び対向面２０ａとは反対側の端面２０ｃに設けられる第２開口２０ｄを有する。放電ワイヤは、シールドケース２０の長手方向に沿ってシールドケース２０内に設けられると共に、対向面２０ａに近接した側で張設される。複数の遮蔽板２３は、シールドケース２０の長手方向に互いに間隔を空けて配置されると共に、第２開口２０ｄ側で端面２０ｃに対して立設される。【選択図】図３
2018031842.tif 000002
【特許請求の範囲】
【請求項１】
像担持体に対向する対向面に設けられる第１開口及び当該対向面とは反対側の端面に設けられる第２開口を有するシールドケースと、
前記シールドケースの長手方向に沿って前記シールドケース内に設けられると共に、前記対向面に近接した側で張設される放電ワイヤと、
前記シールドケースの長手方向に互いに間隔を空けて配置されると共に、前記第２開口側で前記端面に対して立設される複数の遮蔽板と、
を備えることを特徴とする帯電装置。
【請求項２】
前記シールドケースの長手方向の一端側に設けられ、前記端面に沿って前記シールドケースの長手方向の一端側と他端側との間を往復移動しつつ前記放電ワイヤを清掃する清掃部材を更に備え、
前記複数の遮蔽板は、前記清掃部材の往復移動に従って前記シールドケースの長手方向に伸縮可能なブラインド状に構成されることを特徴とする請求項１に記載の帯電装置。
【請求項３】
前記複数の遮蔽板の前記端面に対する立設角度を調整可能な角度調整機構を更に備えることを特徴とする請求項２に記載の帯電装置。
【請求項４】
前記角度調整機構は、前記像担持体の印字動作時には、前記第２開口を覆うように前記複数の遮蔽板の立設角度を小さく調整し、前記像担持体の非印字動作時には、前記第２開口を開放するように前記複数の遮蔽板の立設角度を大きく調整することを特徴とする請求項３に記載の帯電装置。
【請求項５】
請求項１ないし請求項４の何れか１項に記載の帯電装置を備えていることを特徴とする画像形成装置。
【発明の詳細な説明】
【技術分野】
【０００１】
本発明は、放電ワイヤによるコロナ放電で像担持体を帯電させる帯電装置、及びこの帯電装置を備えた画像形成装置に関する。
【背景技術】
【０００２】
従来、複写機やプリンター等の電子写真方式の画像形成装置は、画像データに応じた静電潜像が形成される感光体ドラム等の像担持体、像担持体の表面を帯電する帯電装置、像担持体の不要な電荷を除電する除電ランプ等の除電器を備える。帯電装置には、シールドケースと、シールドケースの内部に張設されると共にコロナ放電を生じさせる放電ワイヤとを備え、像担持体に対して非接触で配置されるコロトロン型の帯電装置がある。
【０００３】
帯電装置は、放電ワイヤのコロナ放電で生成した電荷を像担持体へと帯電させるために、シールドケースの像担持体側の面に開口を設けている。コロナ放電によって発生するオゾン等の放電生成物が、放電ワイヤの周辺に滞留すると、放電ワイヤが汚染して帯電不良が生じ、更には画像不良を引き起こすため、放電生成物の滞留を回避する必要がある。
【０００４】
例えば、特許文献１の画像形成ユニットは、感光体ドラムを所定電位に帯電させる放電ワイヤと、放電ワイヤを取り囲み感光体ドラム側に開口部が設けられたシールド部材とを備えるコロトロンを有する。この画像形成ユニットは、コロトロン近傍のエアの流れに対して、上流側のシールド部材側面から、感光体ドラムとは反対側のコロトロン背面に向けて、コロトロンから発生した放電生成物が循環するのを防止する弾性体シール部材を設ける。これにより、コロトロンから発生した放電生成物の循環を防止して、放電生成物を機外に排気させる。
【先行技術文献】
【特許文献】
【０００５】
【特許文献１】特開２００６−９１３２７号公報
【発明の概要】
【発明が解決しようとする課題】
【０００６】
上記のコロトロン等の帯電装置は、シールドケースの像担持体とは反対側の面に開口を設けて、ファン等の送風機を用いてこれらの開口を介した送風を行うことで、放電生成物の滞留を回避する。しかしながら、像担持体の近傍には、除電器が設けられているので、シールドケースの像担持体とは反対側の面に開口を設けると、この開口を介して除電光やその反射光がシールドケース内に進入し、帯電電位（像担持体の表面電位）が低下するおそれがある。
【０００７】
本発明では、放電生成物の滞留を回避すると共に、除電光やその反射光による帯電電位の低下を回避することを目的とする。
【課題を解決するための手段】
【０００８】
本発明の帯電装置は、像担持体に対向する対向面に設けられる第１開口及び当該対向面とは反対側の端面に設けられる第２開口を有するシールドケースと、前記シールドケースの長手方向に沿って前記シールドケース内に設けられると共に、前記対向面に近接した側で張設される放電ワイヤと、前記シールドケースの長手方向に互いに間隔を空けて配置されると共に、前記第２開口側で前記端面に対して立設される複数の遮蔽板と、を備えることを特徴とする。
【０００９】
このような構成によれば、帯電装置では、複数の遮蔽板によって、帯電装置の近傍の除電器からの除電光やその反射光が第２開口を介してシールドケース内に進入することを抑制するため、帯電装置の帯電電位の低下を回避することができる。更に、帯電装置では、複数の遮蔽板によって、送風ファン等からの送風を第２開口を介してシールドケースへと案内するため、シールドケース内へと風を送り込むことができ、放電ワイヤ周辺での放電生成物の滞留を回避することができる。
【００１０】
上記した帯電装置は、前記シールドケースの長手方向の一端側に設けられ、前記端面に沿って前記シールドケースの長手方向の一端側と他端側との間を往復移動しつつ前記放電ワイヤを清掃する清掃部材を更に備え、前記複数の遮蔽板は、前記清掃部材の往復移動に従って前記シールドケースの長手方向に伸縮可能なブラインド状に構成されるとよい。
【００１１】
このような構成を採用することで、清掃部材による放電ワイヤの清掃を妨害することなく、複数の遮蔽板を設けることができる。
【００１２】
上記した帯電装置は、前記複数の遮蔽板の前記端面に対する立設角度を調整可能な角度調整機構を更に備えるとよい。
【００１３】
このような構成を採用することで、複数の遮蔽板の立設角度を調整して、除電光等のシールドケース内への進入の回避と、シールドケース内への送風とを最適化することができる。また、画像形成装置や帯電装置の構成や仕様に応じて、複数の遮蔽板の立設角度を調整することも可能である。
【００１４】
前記角度調整機構は、前記像担持体の印字動作時には、前記第２開口を覆うように前記複数の遮蔽板の立設角度を小さく調整し、前記像担持体の非印字動作時には、前記第２開口を開放するように前記複数の遮蔽板の立設角度を大きく調整するとよい。
【００１５】
このような構成を採用することで、除電器による除電光が発生する印字動作時には、複数の遮蔽板で第２開口を覆うことにより、除電光等のシールドケース内への進入をより確実に回避することができる。また、除電光が発生しない非印字動作時には、第２開口を開放することにより、シールドケース内へとより多くの風を送り込むことができ、放電ワイヤ周辺での放電生成物の滞留をより確実に回避することができる。
【００１６】
本発明の画像形成装置は、上記した何れかの帯電装置を備えていることを特徴とする。
【発明の効果】
【００１７】
本発明によれば、放電生成物の滞留を回避すると共に、除電光やその反射光による帯電電位の低下を回避することが可能となる。
【図面の簡単な説明】
【００１８】
【図１】本発明の一実施形態に係るプリンターの概略を示す断面図である。
【図２】本発明の一実施形態に係るプリンターの画像形成部における帯電装置及びその周辺を示す断面図である。
【図３】本発明の一実施形態に係るプリンターの帯電装置を示す斜視図である。
【図４】本発明の一実施形態に係るプリンターにおいて、伸張した複数の遮蔽板を大きい角度で立設した状態の帯電装置を示す断面図である。
【図５】本発明の一実施形態に係るプリンターにおいて、伸張した複数の遮蔽板を小さい角度で立設した状態の帯電装置を示す断面図である。
【図６】本発明の一実施形態に係るプリンターにおいて、複数の遮蔽板を短縮した状態の帯電装置を示す断面図である。
【発明を実施するための形態】
【００１９】
まず、図１を用いて、プリンター１（画像形成装置）の全体の構成について説明する。以下、説明の便宜上、図１における紙面手前側をプリンター１の前側（正面側）とする。
【００２０】
プリンター１は、箱型形状のプリンター本体２を備える。プリンター本体２の下部には、用紙を収納する給紙カセット３が収容され、プリンター本体２の上面には排紙トレイ４が設けられる。
【００２１】
プリンター本体２の上部には、レーザー・スキャニング・ユニット（ＬＳＵ）で構成される露光器５が排紙トレイ４の下方に配置され、露光器７の下方には、画像形成部６が設けられる。画像形成部６には、像担持体である感光体ドラム１０が回転可能に設けられ、即ち、画像形成部６はドラムユニットとして構成される。更に、画像形成部６には、帯電装置１１と、現像器１２と、転写ローラー１３と、クリーニング装置１４と、除電器１５とが、感光体ドラム１０の周囲において感光体ドラム１０の回転方向（図１の矢印Ｘ参照）に沿って配置される。除電器１５は、除電ランプ等で構成され、感光体ドラム１０の回転方向においてクリーニング装置１４よりも下流側且つ帯電装置１１よりも上流側で、感光体ドラム１０の表面に対して除電光Ｌを照射する（図２参照）。
【００２２】
プリンター本体２の内部には、用紙の搬送経路１６が設けられる。搬送経路１６の上流端には給紙部が設けられる。搬送経路１６の中流部には、感光体ドラム１０と転写ローラー１３によって構成される転写部１７が設けられる。搬送経路１６の下流部には定着装置が設けられ、搬送経路１６の下流端には排紙部が設けられる。搬送経路１６の下方には、両面印刷用の反転経路が形成される。
【００２３】
次に、このような構成を備えたプリンター１の画像形成動作について説明する。プリンター１は、外部のコンピューター等から画像データが入力され、印刷開始の指示がなされると、画像形成動作を開始する。まず、帯電装置１１によって感光体ドラム１０の表面が帯電された後、露光器５からのレーザー光（図１の二点鎖線Ｐ参照）により感光体ドラム１０に対して画像データに対応した露光が行われ、感光体ドラム１０の表面に静電潜像が形成される。次に、この静電潜像を、現像器１２がトナーによりトナー像に現像する。
【００２４】
一方、給紙カセット３に収納された用紙は、給紙部によって取り出されて搬送経路１６上を搬送される。この用紙は、所定のタイミングで転写部１７へと搬送され、転写部１７によって感光体ドラム１０上のトナー像が用紙に転写される。トナー像を転写された用紙は、定着装置へと搬送され、定着装置によって用紙にトナー像が定着される。トナー像が定着された用紙は、排紙部から排紙トレイ４に排出される。なお、感光体ドラム１１上に残留したトナー及び電荷は、クリーニング装置１４及び除電器１５によって除去される。
【００２５】
次に、帯電装置１１について、説明する。図１や図２に示すように、帯電装置１１は、画像形成部６において感光体ドラム１０の上方に設けられる。なお、画像形成部６において、帯電装置１１の上流側の除電器１５は、帯電装置１１の近傍（例えば、上方）に設けられる。帯電装置１１は、図２や図３に示すように、シールドケース２０と、放電ワイヤ２１と、清掃部材２２と、複数の遮蔽板２３と、送風ファン２４とを備える。以下では、感光体ドラム１０の上方に設けられる帯電装置１１の例を説明するが、帯電装置１１は、シールドケース２０の対向面２０ａを感光体ドラム１０の周面に対向させれば、感光体ドラム１０に対して何れの位置に設けられてもよい。
【００２６】
シールドケース２０は、感光体ドラム１０の軸方向（前後方向）に長い略箱型状に形成される。シールドケース２０は、感光体ドラム１０の周面に対向する対向面２０ａを下側に有し、対向面２０ａには、第１開口２０ｂが形成される。第１開口２０ｂは、例えば、前後方向において感光体ドラム１０の画像形成領域よりも長く形成される。シールドケース２０は、対向面２０ａとは反対側の端面２０ｃを上側に有し、端面２０ｃには、第２開口２０ｄが形成される。第２開口２０ｄは、例えば、前後方向において感光体ドラム１０の画像形成領域よりも長く形成され、第１開口２０ｂと同等の長さを有してよい。なお、第２開口２０ｄは、用紙の搬送方向（左右方向）において、第１開口２０ｂよりも狭い幅で形成されてよい。
【００２７】
シールドケース２０の前後方向両端のそれぞれには、図３に示すように、前保護部材２５、後保護部材２６が設けられる。前保護部材２５、後保護部材２６は、シールドケース２０の前後方向両端、並びに放電ワイヤ２１の前後方向両端を保護すると共に、複数の遮蔽板２３の取り付けに用いられる。シールドケース２０の左右方向の両側面のそれぞれには、清掃部材２２の移動に用いられるレール２７が形成される。また、シールドケース２０の内部には、図４等に示すように、放電ワイヤ２１の前後方向両端を支持する支持部材２８が前後方向両端に設けられ、放電ワイヤ２１の張力を調節する調節部材２９が前後方向の何れか一端に設けられる。
【００２８】
放電ワイヤ２１は、一端が高圧電源（図示せず）に接続されて、所定の電圧（数十ＫＶ）を印加することでコロナ放電を発生する。放電ワイヤ２１は、シールドケース２０の長手方向に沿ってシールドケース２０内に設けられる。放電ワイヤ２１の両端がシールドケース２０内の前後方向両端の支持部材２８によって支持されることで放電ワイヤ２１が張設され、放電ワイヤ２１の張力はシールドケース２０内の調節部材２９によって調節される。放電ワイヤ２１は、例えば、シールドケース２０内で感光体ドラム１０との対向面２０ａに近接した側（下側）で、感光体ドラム１０の軸方向に亘って、例えば、感光体ドラム１０の画像形成領域よりも長い距離に亘って張設される。
【００２９】
清掃部材２２は、シールドケース２０の上側で前後方向に移動可能に取り付けられ、待機状態では、シールドケース２０の後端の位置でロックされていて、清掃状態では、ロックが解除される。清掃部材２２は、例えば、中空で下側が開口した清掃ケース３０と、清掃ケース３０内に設けられて放電ワイヤ２１を清掃するワイヤ清掃部３１とからなる。
【００３０】
清掃ケース３０は、内側の両側面でシールドケース２０のレール２７と係合し、清掃部材２２は、レール２７に沿って前後方向に移動する。なお、清掃部材２２は、手動で移動するように構成されるが、自動的に移動する機構を設けてもよい。清掃部材２２がシールドケース２０の後端側から前端側へと移動するとき、清掃ケース３０の内部又は前側に複数の遮蔽板２３が順次回収される（図６参照）。また、清掃部材２２がシールドケース２０の前端側から後端側へと移動するとき、複数の遮蔽板２３は清掃ケース３０から順次リリースされる。ワイヤ清掃部３１は、清掃ケース３０内で放電ワイヤ２１に対応して配置され、清掃部材２２が前後方向に移動することで、ワイヤ清掃部３１が放電ワイヤ２１に沿って前後方向に移動しつつ放電ワイヤ２１を清掃する。
【００３１】
各遮蔽板２３は、黒色で矩形の平面を有する薄板状に形成され、例えば、プラスチック材料で形成される。複数の遮蔽板２３は、それぞれの平面が平行になるように重ねられて、シールドケース２０の長手方向に互いに間隔を空けて配置されると共に、第２開口２０ｄ側でシールドケース２０の端面２０ｃに対して立設される。従って、各遮蔽板２３の平面は、感光体ドラム１０の軸方向に対向している。
【００３２】
また、複数の遮蔽板２３は、清掃部材２２の往復移動に従ってシールドケース２０の長手方向に伸縮可能なブラインド状に構成される。換言すれば、複数の遮蔽板２３は、シールドケース２０の端面２０ｃに対する立設角度を維持しつつ、清掃部材２２の往復移動に従ってシールドケース２０の長手方向に伸縮可能なようにシールドケース２０に取り付けられる。複数の遮蔽板２３は、通常状態（図４参照）では、第２開口２０ｄ側で端面２０ｃに対して４５°の立設角度で前方に傾斜して配置される。これにより、除電器１５の除電光やその反射光が第２開口２０ｄを介してシールドケース２０内に進入することを抑制すると共に、送風ファン２４からの送風を第２開口２０ｄを介してシールドケース２０内に供給することが可能となる。
【００３３】
例えば、複数の遮蔽板２３の取付機構３２として、位置決め用紐３３と、角度調整機構３４と、伸縮用紐３５と、巻取機構３６とを備える。
【００３４】
位置決め用紐３３は、各遮蔽板２３に順次接続されると共に、シールドケース２０の前保護部材２５と清掃部材２２との間に架設される。これにより、位置決め用紐３３は、清掃部材２２がシールドケース２０の後端側に位置して伸縮用紐３５が伸張された状態では（図４参照）、前後方向に緊張して、各遮蔽板２３間の間隔や、最も前側の遮蔽板２３と前保護部材２５との間、最も後側の遮蔽板２３と清掃部材２２との間の間隔を維持する。一方、位置決め用紐３３は、清掃部材２２がシールドケース２０の後端側から前端側へと移動して伸縮用紐３５が短縮された状態では（図６参照）、緊張が解かれて緩められる。
【００３５】
位置決め用紐３３は、例えば、各遮蔽板２３の左上部に接続される左上紐３３ａと、各遮蔽板２３の左下部に接続される左下紐３３ｂと、各遮蔽板２３の右上部に接続される右上紐３３ｃと、各遮蔽板２３の右下部に接続される右下紐３３ｄとからなる。左上紐３３ａ、左下紐３３ｂ、右上紐３３ｃ及び右下紐３３ｄの前端は、前保護部材２５内で角度調整機構３４の駆動カム３７に取り付けられ、左上紐３３ａ、左下紐３３ｂ、右上紐３３ｃ及び右下紐３３ｄの後端は、清掃部材２２内の従動カム３８に取り付けられる。従動カム３８は、楕円形状に形成され、清掃部材２２内で回転自在に設けられている。例えば、左上紐３３ａ及び右上紐３３ｃの後端は、従動カム３８の長軸方向の一端（上端）に取り付けられ、左下紐３３ｂ及び右下紐３３ｄの後端は、従動カム３８の長軸方向の他端（下端）に取り付けられる。
【００３６】
角度調整機構３４は、例えば、位置決め用紐３３の左上紐３３ａ、左下紐３３ｂ、右上紐３３ｃ及び右下紐３３ｄの前端が取り付けられる駆動カム３７と、この駆動カム３７を回転させるモーター等の駆動部（図示せず）とからなる。例えば、左上紐３３ａ及び右上紐３３ｃの前端は、駆動カム３７の長軸方向の一端（上端）に取り付けられ、左下紐３３ｂ及び右下紐３３ｄの前端は、駆動カム３７の長軸方向の他端（下端）に取り付けられる。角度調整機構３４は、駆動カム３７を駆動部によって回転させることで、駆動カム３７と清掃部材２２内の従動カム３８との間に架設された左上紐３３ａ及び右上紐３３ｃと左下紐３３ｂ及び右上紐３３ｄとを前後方向において互い違いに移動させる。そして、角度調整機構３４は、左上紐３３ａ、左下紐３３ｂ、右上紐３３ｃ及び右下紐３３ｄを移動させることで、左上紐３３ａ、左下紐３３ｂ、右上紐３３ｃ及び右下紐３３ｄに接続された各遮蔽板２３のシールドケース２０の端面２０ｃに対する立設角度を調整する。
【００３７】
角度調整機構３４は、例えば、複数の遮蔽板２３を上記した通常状態（図４参照）に維持するように立設角度を調整してよく、あるいは、プリンター１の画像形成動作を制御するＣＰＵ等の制御部（図示せず）によって制御され、感光体ドラム１０の印字動作及び非印字動作に応じて各遮蔽板２３の立設角度を調整してもよい。例えば、角度調整機構３４は、感光体ドラム１０の印字動作時には、第２開口２０ｄを覆うように各遮蔽板２３の立設角度を小さく（例えば、１０°に）調整する（図５参照）。一方、角度調整機構３４は、感光体ドラム１０の非印字動作時には、第２開口２０ｄを開放するように各遮蔽板２３の立設角度を大きく（例えば、８０°に）調整する（図４参照）。
【００３８】
伸縮用紐３５は、各遮蔽板２３に設けられる貫通穴（図示せず）に順次通されると共に、シールドケース２０の前保護部材２５と巻取機構３６との間に架設される。伸縮用紐３５は、例えば、各遮蔽板２３の左右方向中央で且つ上下方向中央又は上部を通される。本実施形態では、１本の伸縮用紐３５が設けられるが、２本以上の伸縮用紐３５が設けられてもよい。伸縮用紐３５は、巻取機構３６により巻き取り及び巻き戻しによって伸縮し、また、巻取機構３６の巻き取り力によって常に所定の張力で張られることで、位置決め用紐３３が緩められた状態でも、各遮蔽板２３の立設状態を維持する。
【００３９】
巻取機構３６は、例えば、伸縮用紐３５の後端が締結される巻取リール３９とこの巻取リール３９を自動的に回転させるぜんまいばねやモーター等の駆動部（図示せず）とからなり、巻取リール３９を駆動部によって所定の巻取方向に回転させることで伸縮用紐３５を自動的に巻き取る。例えば、ばね式の巻取機構３６は、所定の巻取方向で伸縮用紐３５を巻取リール３９に巻き回した後、この巻取方向とは逆の巻戻方向へ巻取リール３９を回転させて伸縮用紐３５を巻き戻すことで、伸縮用紐３５に対する巻き取り力が生じる。巻取機構３６は、伸縮用紐３５に対する巻き取り力を常に有する状態で清掃部材２２に取り付けられ、伸縮用紐３５を所定の張力で張架している。巻取機構３６は、清掃部材２２がシールドケース２０の後端側から前端側へと移動する際に、伸縮用紐３５を巻き取り、清掃部材２２がシールドケース２０の前端側から後端側へと移動する際に、伸縮用紐３５を巻き戻す。
【００４０】
送風ファン２４は、例えば、帯電装置１１の上部の前端側に設けられ、シールドケース２０及び複数の遮蔽板２３の上方でシールドケース２０の長手方向に亘って設けられたダクト４０を介して、上方から送風を行う。
【００４１】
本実施形態によれば、上述のように、プリンター１（画像形成装置）の帯電装置１１は、シールドケース２０と、放電ワイヤ２１と、複数の遮蔽板２３とを備える。シールドケース２０は、感光体ドラム１０（像担持体）に対向する対向面２０ａに設けられる第１開口２０ｂ及び対向面２０ａとは反対側の端面２０ｃに設けられる第２開口２０ｄを有する。放電ワイヤ２１は、シールドケース２０の長手方向に沿ってシールドケース２０内に設けられると共に、対向面２０ａに近接した側で張設される。複数の遮蔽板２３は、シールドケース２０の長手方向に互いに間隔を空けて配置されると共に、第２開口２０ｄ側で端面２０ｃに対して立設される。
【００４２】
これにより、帯電装置１１では、複数の遮蔽板２３によって、除電器１５の除電光やその反射光が第２開口２０ｄを介してシールドケース２０内に進入することを抑制するため、帯電装置１１の帯電電位の低下を回避することができる。更に、帯電装置１１では、複数の遮蔽板２３によって、送風ファン２４からの送風を第２開口２０ｄを介してシールドケース２０へと案内するため、シールドケース２０内へと風を送り込むことができ、放電ワイヤ２１周辺での放電生成物の滞留を回避することができる。
【００４３】
また、本実施形態によれば、帯電装置１１は、シールドケース２０の長手方向の一端側（後端側）に設けられ、端面２０ｃに沿ってシールドケース２０の長手方向の一端側（後端側）と他端側（前端側）との間を往復移動しつつ放電ワイヤ２１を清掃する清掃部材２２を更に備える。そして、複数の遮蔽板２３は、清掃部材２２の往復移動に従ってシールドケース２０の長手方向に伸縮可能なブラインド状に構成される。
【００４４】
これにより、清掃部材２２による放電ワイヤ２１の清掃を妨害することなく、複数の遮蔽板２３を設けることができる。
【００４５】
また、本実施形態によれば、帯電装置１１は、複数の遮蔽板２３の端面２０ｃに対する立設角度を調整可能な角度調整機構３４を更に備える。
【００４６】
これにより、複数の遮蔽板２３の立設角度を調整して、除電光等のシールドケース２０内への進入の回避と、シールドケース２０内への送風とを最適化することができる。また、プリンター１、画像形成部６又は帯電装置１１の構成や仕様に応じて、複数の遮蔽板２３の立設角度を調整することも可能である。
【００４７】
また、本実施形態によれば、角度調整機構３４は、感光体ドラム１０を用いた印字動作時には、第２開口２０ｄを覆うように複数の遮蔽板２３の立設角度を小さく調整する一方、感光体ドラム１０を用いた非印字動作時には、第２開口２０ｄを開放するように複数の遮蔽板２３の立設角度を大きく調整する。
【００４８】
これにより、除電器１５による除電光が発生する印字動作時には、複数の遮蔽板２３で第２開口２０ｄを覆うことにより、除電光等のシールドケース２０内への進入をより確実に回避することができる。また、除電光が発生しない非印字動作時には、第２開口２０ｄを開放することにより、シールドケース２０内へとより多くの風を送り込むことができ、放電ワイヤ２１周辺での放電生成物の滞留をより確実に回避することができる。
【００４９】
本実施形態では、複数の遮蔽板２３の取付機構３２として、位置決め用紐３３と、角度調整機構３４と、伸縮用紐３５と、巻取機構３６とを備える構成を説明したが、複数の遮蔽板２３の取付機構３２はこの構成に限定されず、清掃部材２２の移動に従って複数の遮蔽板２３を伸縮可能であれば他のブラインド式の構成でもよい。また、他の実施形態では、各遮蔽板２３に対する位置決め用紐３３の取付位置と伸縮用紐３５の取付位置とは逆であってもよい。更に、他の実施形態では、巻取機構３６は、前保護部材２５や後保護部材２６に設けられてもよい。また更に、他の実施形態では、角度調整機構３４は、後保護部材２６や清掃部材２２に設けられてもよい。
【００５０】
本実施形態では、帯電装置１１が、シールドケース２０内に送風する送風ファン２４を備える例を説明したが、他の実施形態では、帯電装置１１は、送風ファン２４を備えずに、プリンター１に備わる他の送風ファンから送風を受けてもよい。
【００５１】
本実施形態では、プリンター１に本発明の構成を適用する場合について説明したが、他の異なる実施形態では、複写機、ファクシミリ、複合機等の他の画像形成装置に本発明の構成を適用することも可能である。
【符号の説明】
【００５２】
１  プリンター（画像形成装置）
６  画像形成部
１０  感光体ドラム（像担持体）
１１  帯電装置
１５  除電器
２０  シールドケース
２０ａ  対向面
２０ｂ  第１開口
２０ｃ  端面
２０ｄ  第２開口
２１  放電ワイヤ
２２  清掃部材
２３  遮蔽板
２４  送風ファン
３０  清掃ケース
３１  ワイヤ清掃部
３２  取付機構
３４  角度調整機構
【図１】
2018031842.tif 000003
【図２】
2018031842.tif 000004
【図３】
2018031842.tif 000005
【図４】
2018031842.tif 000006
【図５】
2018031842.tif 000007
【図６】
2018031842.tif 000008